(57)【要約】【課題】収容器において、内容物の被視認性を確保しつつも、可視短波長領域の光を好適に遮光することができる技術を提供する。【解決手段】内容物を収容可能な空間である収容部を備える収容器であって、収容部は、当該収容部の内部と外部とを隔てる隔壁によって形成され、隔壁は、収容部を形成する基材となる光透過性材料と、第１遮光剤と、第２遮光剤と、を含んで形成され、第１遮光剤は、一または複数種類の酸化チタン被覆体を含み、酸化チタン被覆体は、アボベンゾン、酸化セリウム、および酸化ビスマスからなる群より選ばれる一の添加材料によって酸化チタンが被覆された酸化チタン被覆体であり、第２遮光剤は、一または複数種類の酸化チタン複合体を含み、酸化チタン複合体は、黄酸化鉄、赤酸化鉄、および黒酸化鉄からなる群より選ばれる一の添加材料が酸化チタンに複合した酸化チタン複合体である。【選択図】図２
2019031311.tif 000002
【特許請求の範囲】
【請求項１】
内容物を収容可能な空間である収容部を備える収容器であって、
前記収容部は、当該収容部の内部と外部とを隔てる隔壁によって形成され、
前記隔壁は、前記収容部を形成する基材となる光透過性材料と、第１遮光剤と、第２遮光剤と、を含んで形成され、
前記第１遮光剤は、一または複数種類の酸化チタン被覆体を含み、
前記酸化チタン被覆体は、アボベンゾン、酸化セリウム、および酸化ビスマスからなる群より選ばれる一または複数の添加材料によって酸化チタンが被覆された前記酸化チタン被覆体であり、
前記第２遮光剤は、一または複数種類の酸化チタン複合体を含み、
前記酸化チタン複合体は、黄酸化鉄、赤酸化鉄、および黒酸化鉄からなる群より選ばれる一または複数の添加材料が酸化チタンに複合した前記酸化チタン複合体である、
収容器。
【請求項２】
前記隔壁は、前記光透過性材料に前記第１遮光剤と前記第２遮光剤とが混合された混合材料によって形成されている、
請求項１に記載の収容器。
【請求項３】
前記隔壁は、前記光透過性材料に前記第１遮光剤と前記第２遮光剤のうちの何れか一方のみが含まれる材料からなる第１遮光層と、前記光透過性材料に前記第１遮光剤と前記第２遮光剤のうちの他方のみが含まれる材料からなる第２遮光層とが、積層されて形成されている、
請求項１に記載の収容器。
【請求項４】
前記隔壁は、前記第１遮光層が前記第２遮光層よりも前記収容部の外部側に位置するように積層されている、
請求項３に記載の収容器。
【請求項５】
前記隔壁は、前記光透過性材料によって形成される基材層と、前記基材層の表面に形成された塗膜層とによって形成され、
前記塗膜層は、前記第１遮光剤と前記第２遮光剤とを含む塗料によって形成されている、
請求項１に記載の収容器。
【請求項６】
前記収容部は、前記光透過性材料によって形成される基材層と、前記基材層の表面に形成された塗膜層とによって形成され、
前記塗膜層は、前記第１遮光剤と前記第２遮光剤のうちの何れか一方のみが含まれる塗料によって形成される第１塗膜層と、前記第１遮光剤と前記第２遮光剤のうちの他方のみが含まれる塗料によって形成される第２塗膜層とが、積層されて形成されている、
請求項１に記載の収容器。
【請求項７】
前記塗膜層は、前記第１塗膜層が前記第２塗膜層よりも前記収容部の外部側に位置するように積層されている、
請求項６に記載の収容器。
【発明の詳細な説明】
【技術分野】
【０００１】
本発明は、収容器の技術に関する。
【背景技術】
【０００２】
従来、薬品、化粧品、飲食品を内容物として収容可能な容器が広く利用されている。しかしながら、上述した内容物は、太陽光などに含まれる特定の波長の光、特に紫外線によって変化し易いため、容器には紫外線を遮光することが求められている。
【０００３】
上記に関連して、特許文献１には、４００ｎｍ以下の紫外線の遮光率が高い樹脂製容器が開示されている。また、特許文献２には、紫外線及び可視光線の遮光率が高い樹脂製容器が開示されている。
【先行技術文献】
【特許文献】
【０００４】
【特許文献１】特開２０１６−０３３０２１号公報
【特許文献２】特開平１０−１７７３４３号公報
【発明の概要】
【発明が解決しようとする課題】
【０００５】
一方で、容器に収容される内容物として、可視短波長領域の光、例えば４００ｎｍ〜５００ｎｍの範囲の波長の光が照射されることによって、変色や分解といった品質劣化を生じるものがある。劣化の主な原因としては、上記範囲の光をエネルギー源とした酸化反応が挙げられる。これに対し、特許文献１に記載の容器は、主に４００ｎｍ以下の紫外線を遮光することができるが、４００ｎｍを超える波長の光は十分に遮光できない。そのため、上述した可視短波長領域の光で劣化する内容物を収容した場合に、内容物が劣化するという問題があった。
【０００６】
また、特許文献２に記載の技術は、カーボンブラック顔料を容器に含有させることによって紫外線及び可視光線を遮光する樹脂製の容器が記載されている。しかし、上述の方法によって遮光する場合、可視領域の光までもが殆ど遮光されるため、容器内の内容物の液面レベルを視認することが困難となり、使用者が内容物の残量を確認し難くなる問題や、容器のデザイン性が制限されるという虞がある。以上より、可視短波長領域の光による内容物の劣化の抑制と、内容物の被視認性の確保とを両立する技術が求められていた。
【０００７】
本発明は、上記の問題に鑑みてなされたものであり、その目的は、収容器において、内容物の被視認性を確保しつつも、紫外線及び可視短波長領域の光を好適に遮光することができる技術を提供することである。
【課題を解決するための手段】
【０００８】
上記課題を解決するため、本発明は、以下の手段を採用した。即ち、本発明は、内容物を収容可能な空間である収容部を備える収容器であって、前記収容部は、当該収容部の内部と外部とを隔てる隔壁によって形成され、前記隔壁は、前記収容部を形成する基材となる光透過性材料と、第１遮光剤と、第２遮光剤と、を含んで形成され、前記第１遮光剤は、一または複数種類の酸化チタン被覆体を含み、前記酸化チタン被覆体は、アボベンゾン、酸化セリウム、および酸化ビスマスからなる群より選ばれる一または複数の添加材料によって酸化チタンが被覆された前記酸化チタン被覆体であり、前記第２遮光剤は、一または複数種類の酸化チタン複合体を含み、前記酸化チタン複合体は、黄酸化鉄、赤酸化鉄、
および黒酸化鉄からなる群より選ばれる一または複数の添加材料が酸化チタンに複合した前記酸化チタン複合体である。
【０００９】
本発明によると、紫外線及び可視短波長領域の光を選択的に遮光することによって、内容物の劣化を抑制するとともに収容された内容物の被視認性を確保することができる。
【００１０】
また、本発明は、前記隔壁が、前記光透過性材料に前記第１遮光剤と前記第２遮光剤とが混合された混合材料によって形成されていてもよい。
【００１１】
また、本発明は、前記隔壁が、前記光透過性材料に前記第１遮光剤と前記第２遮光剤のうちの何れか一方のみが含まれる材料からなる第１遮光層と、前記光透過性材料に前記第１遮光剤と前記第２遮光剤のうちの他方のみが含まれる材料からなる第２遮光層とが、積層されて形成されていてもよい。そうすることにより、第１遮光剤が有する白色系の隠ぺい力によって、第２遮光剤による隔壁の色調が抑えられている。その結果、色調によるデザインの制約を低減することができ、収容器のデザイン面における自由度を高めることができる。
【００１２】
更に、前記隔壁は、前記第１遮光層が前記第２遮光層よりも前記収容部の外部側に位置するように積層されていてもよい。そうすることにより、隔壁の色調をより抑えることができ、収容器のデザイン面における自由度をより高めることができる。
【００１３】
また、本発明は、前記隔壁が、前記光透過性材料によって形成される基材層と、前記基材層の表面に形成された塗膜層とによって形成され、前記塗膜層は、前記第１遮光剤と前記第２遮光剤とを含む塗料によって形成されていてもよい。そうすることにより、ガラスなどの遮光剤を練り込むことが比較的困難な光透過性材料によって隔壁を形成する場合でも、隔壁に容易に遮光性を付与することができる。
【００１４】
また、本発明は、前記収容部が、前記光透過性材料によって形成される基材層と、前記被塗膜層の表面に形成された塗装膜とによって形成され、前記塗膜層は、前記第１遮光剤と前記第２遮光剤のうちの何れか一方のみが含まれる塗料によって形成される第１塗膜層と、前記第１遮光剤と前記第２遮光剤のうちの他方のみが含まれる塗料によって形成される第２塗膜層とが、積層されて形成されていてもよい。そうすることによって、第１塗膜層に含まれる第１遮光剤が有する白色系の隠ぺい力によって、第２塗膜層に含まれる第２塗装剤による色調を隠ぺいすることができる。その結果、収容器のデザイン面における自由度をより高めることができる。
【００１５】
更に、前記塗膜層は、前記第１塗膜層が前記第２塗膜層よりも前記収容部の外部側に位置するように積層されていてもよい。そうすることにより、隔壁の色調をより抑えることができ、収容器のデザイン面における自由度をより高めることができる。
【発明の効果】
【００１６】
本発明によれば、収容器において、内容物の被視認性を確保しつつも、可視短波長領域の光を好適に遮光することができる。
【図面の簡単な説明】
【００１７】
【図１】図１は、第１実施形態に係る収容器を示す図である。
【図２】図２は、第１実施形態に係る収容器の断面を示す図である。
【図３Ａ】図３Ａは、第１実施形態に係る遮光剤を構成する材料の模式図である。
【図３Ｂ】図３Ｂは、第１実施形態に係る遮光剤を構成する材料の模式図である。
【図４】図４は、第２実施形態に係る収容器の断面を示す図である。
【図５】図５は、第３実施形態に係る収容器の断面を示す図である。
【図６】図６は、第４実施形態に係る収容器の断面を示す図である。
【発明を実施するための形態】
【００１８】
次に、本発明の実施形態について、図面に基づいて説明する。但し、以下で説明する実施形態は本発明を実施するための例示であり、本実施の形態に記載されている構成要素の寸法、材質、形状、その相対配置等は、特に特定的な記載がない限りは、発明の技術的範囲をそれらのみに限定する趣旨のものではない。また、本発明に係る収容器に収容される内容物は、特に限定しない。また、本発明は、例えば、薬品、化粧品、飲食品など、様々なものを収容することができる。内容物の状態は、固体、液体、気体の何れでもよい。但し、本発明に係る収容器は、特に、紫外光又は可視短波長領域の可視光によって劣化するものを内容物として収納する場合、内容物の劣化を好適に抑制することができる。
【００１９】
尚、本発明において、可視光線とは、電磁波のうち、ヒトの目で見ることができる波長のものを指す。一般に、可視光に相当する電磁波の波長の下限はおおよそ３６０ｎｍ〜４００ｍｍであり、上限はおおよそ７６０ｎｍ〜８３０ｎｍとされる。本明細書では、可視光線とは、特に、波長が４００ｎｍ〜８３０ｎｍの電磁波を指す。また、可視領域とは、可視光線の波長の範囲を指し、即ち、４００ｎｍ〜８３０ｎｍの範囲である。特に、可視短波長領域とは、４００ｎｍ〜５００ｎｍの範囲を指す。また、可視長波長領域とは、５００ｎｍよりも大きく８３０ｎｍ以下の範囲を示す。また、紫外線とは、ＵＶや紫外光とも称され、一般には、波長がＸ線よりも長く、可視光線の最短波長より短い電磁波を指す。本明細書では、紫外線とは、特に、波長が１０ｎｍ〜４００ｎｍの電磁波を指す。
【００２０】
また、本明細書における遮光率とは、対象物に入射した特定の波長の入射光が、反射や吸収により対象物の通過を遮られる割合であって、百分率で示される。換言すると、遮光率は、特定の波長の入射光が対象物を透過しない割合である。即ち、遮光率は、１００−透過率［％］の計算式で算出することができる。
【００２１】
＜第１実施形態＞
図１は、本実施形態に係る収容器１００を示す図である。以下に説明する第１実施形態に係る収容器１００は、内容物の一例として、液状の化粧料Ｃを内部に収容する。化粧料Ｃは、波長５００ｎｍ以下の光、即ち、波長４００ｎｍ未満の紫外線や波長４００ｎｍ〜５００ｎｍである可視短波長領域の光が照射されることによって、変色や分解といった品質劣化が生じる性質を有する。化粧料Ｃは特に、波長４００〜４６０ｎｍの可視光線によって顕著に品質が劣化する。化粧料Ｃは、本発明における内容物に相当する。本実施形態に係る収容器１００は、後述する遮光構造Ｓ１を有することによって、収容された内容物の収容器１００の外部からの被視認性と、収容器１００のデザイン性を確保するとともに、波長５００ｎｍ以下の光を好適に遮光することによって、化粧料Ｃの劣化を好適に抑制することができる。以下、詳しく説明する。
【００２２】
図１に示すように、収容器１００は、化粧料Ｃを収容する収容部３０を有する本体部１０と、本体部１０の上部に形成されて、化粧料Ｃを収容器１００の外部に排出するための排出部２０と、を、有する。収容部３０は、本体部１０の内部に形成された空間であって、化粧料Ｃが収容される空間である。収容器１００は、収容部３０に化粧料Ｃを収容することで化粧料Ｃを保存するととともに、収容部３０に収容された化粧料Ｃを排出部２０から収容器１００の外部へ排出する。
【００２３】
尚、排出部２０の態様は特に限定しない。排出部２０は、本体部１０の上部に形成された開口と開口を開閉自在な蓋とによって構成されていてもよいし、開口と開口に設けられて化粧料Ｃを外部に噴射するノズルとによって構成してもよい。
【００２４】
次に、本体部１０について説明する。図１に示すように、本体部１０は、隔壁１によって収容部３０を形成している。隔壁１は、即ち、収容部３０の内部と外部とを隔てる壁である。隔壁１が存在することによって、収容器１００の外部より収容器１００に照射された可視光線や紫外線は、化粧料Ｃよりも先に隔壁１に到達する。尚、以下の説明では、隔壁１において、収容部３０側を「内側」、収容部３０と反対の側であって容器の外側を「外側」と定義する。
【００２５】
図２は、隔壁１の断面を拡大した模式図である。図２に示すように、隔壁１は、樹脂系材料からなる可視光線の透過率が高い光透過性材料１３を基材として、２種類の遮光剤が混ざった状態で練り込まれて形成されている。以下、２種類の遮光剤を、それぞれ、第１遮光剤１１、第２遮光剤１２と称する。また、図２に示す隔壁１の構造を、遮光構造Ｓ１と称する。この隔壁１の遮光構造Ｓ１では、第１遮光剤１１と第２遮光剤１２とが混ざり合うことでランダムな位置に配置されている。後述するように、第１遮光剤１１は、母体となる酸化チタンの微粒子を後述するアボベンゾンなどの添加材料aで被覆した材料であ
る酸化チタン被覆体Ｘによって構成される。また、第２遮光剤１２は、酸化チタンの粒子を後述する黄酸化鉄などの添加材料ｂで処理した材料である酸化チタン複合体Ｙによって構成される。
【００２６】
図３Ａは、第１遮光剤１１に含まれる酸化チタン被覆体Ｘを説明するための模式図である。酸化チタン被覆体Ｘは、紫外線の遮光性が高く、可視光線の遮光性が低い特性を有する。図３Ａに示すように、酸化チタン被覆体Ｘは、微粒子化した酸化チタンの表面を添加材料aで被覆することで形成されている。添加材料ａは、アボベンゾン、酸化セリウム、
酸化ビスマスからなる群から１種類もしくは複数種類を選択することができる。通常、酸化チタンは、可視光線を散乱することによる白色系の隠ぺい力を有するため可視光線に対する遮光性が高いが、微粒子化することによって隠ぺい力を若干残しつつも、可視光線の透過性を高めることができる。尚、酸化チタンの粒子径は、例えば１５ｎｍ程度とすることが好ましい。また、添加材料ａは、紫外線を反射もしくは吸収するため紫外線の遮光性が高く、且つ、隠ぺい力が低い特性を有する。そのため、本実施形態に係る遮光剤１１は、微粒子化した酸化チタンの表面を添加材料aで被覆した酸化チタン被覆体Ｘを含むこと
によって、隔壁１の遮光構造Ｓ１において、紫外線の遮光率を高めながらも可視光線の透過性を確保する。また、酸化チタン被覆体Ｘが白色系の隠ぺい力を若干有することから、第１遮光剤１１は、隔壁１の遮光構造Ｓ１において、第２遮光剤による色調を低減することができる。
【００２７】
図３Ｂは、第２遮光剤１２に含まれる酸化チタン複合体Ｙを説明するための模式図である。酸化チタン複合体Ｙは、可視短波長領域の光の遮光性が高い特性を有する。図３Ｂに示すように、酸化チタン複合体Ｙは、酸化チタンに酸化鉄系の材料である添加材料ｂの微粒子が添加されることよって形成される複合体である。本実施形態に係る第２遮光剤１２は、酸化チタン複合体Ｙを含むことによって、隔壁１の遮光構造Ｓ１において、可視短波長領域の光の遮光率を高めるように作用する。本実施形態に係る第２遮光剤１２は、添加材料ｂとして、黄酸化鉄を使用している。また、黄酸化鉄が添加された酸化チタン複合体Ｙにおける酸化チタンと黄酸化鉄の重量比は、およそ、酸化チタン：黄酸化鉄酸＝７０：３０とすることが好ましく、酸化チタン複合体Ｙの粒子径は、１００ｎｍ程度とすることが好ましい。尚、第２遮光剤１２を構成する酸化鉄系の添加材料ｂは上記に限定されず、黄酸化鉄に代えて、赤酸化鉄、黒酸化鉄の何れかを１種類または複数種類選択することができる。但し、黄酸化鉄を添加材料ｂとした酸化チタン複合体Ｙは隔壁１への着色度が比較的低いことから、添加材料ｂは黄酸化鉄とすることが好ましい。そうすることにより、可視短波長領域の光を好適に遮光するとともに、隔壁１への着色を少なくすることができる。尚、本実施形態に係る酸化チタン複合体Ｙによって構成される第２遮光剤１２は、遮
光構造Ｓ１に含まれることによって隔壁１に若干の黄色味の色調を帯びさせるが、上述した第１遮光剤１１が有する白色系の隠ぺい力によって隔壁１の黄色味が低減されている。
【００２８】
尚、第１遮光剤１１に含まれる酸化チタン被覆体Ｘの種類の数や、第２遮光剤１２に含まれる酸化チタン複合体Ｙの種類の数は、上記に限定されない。即ち、第１遮光剤１１は、例えば、アボベンゾン、酸化セリウム、酸化ビスマスのそれぞれを添加材料aとする、
複数種類の酸化チタン被覆体Ｘを含んでいてもよい。同様に、第２遮光剤１２は、例えば、黄酸化鉄、赤酸化鉄、黒酸化鉄のそれぞれを添加材料ｂとする、複数種類の酸化チタン複合体Ｙを含んでいてもよい。
【００２９】
光透過性材料１３は、可視光線が透過することができる材料である。より詳細には、光透過性材料１３は、可視光線の透過率が比較的高い材料であり、換言すると、可視光線の遮光率が低い材料によって構成されている。光透過性材料１３は、一般的に透明とされる容器に使用される材料であって、単体で隔壁１を構成した場合に、使用者が内容物を視認できる程度の透明性を有する材料である。即ち、光透過性材料１３は、遮光構造Ｓ１において、隔壁１を形成する基材となるとともに、可視光線を透過させることによって使用者が収容器１００の内容物を視認することができるように作用する。本実施形態に係る光透過性材料１３は、例えばポリエチレン（ＰＥ）樹脂、ポリプロピレン（ＰＰ）樹脂、ポリカーボネート（ＰＣ）樹脂、アクリル樹脂、ポリエステル（ＰＥＴ）樹脂、ポリ塩化ビニル（ＰＶＣ）樹脂、ＡＢＳ樹脂、フッ素樹脂などの、透明性を有する樹脂系材料の中から適宜選択することができる。
【００３０】
このような遮光構造Ｓ１を有する隔壁１は、例えば、ブロー成形によって形成することができる。ブロー成形では、原料となる光透過性材料１３のペレットに第１遮光剤１１と第２遮光剤１２の粉体を混合した混合材料をチューブ状に押し出し、チューブ内部に空気を圧入することによって隔壁１及び収容部３０を成形する。但し、遮光構造Ｓ１の成形方法は上記に限定されず、基材となる光透過性材料１３に応じて適宜選択することができる。
【００３１】
［作用・効果］
以上のような遮光構造Ｓ１によって構成することによって、本実施形態に係る隔壁１は、紫外光線及び可視短波長領域の光の遮光率が高く、可視長波長領域の可視光線の遮光率が低くなっている。このような隔壁１によって収容部３０が形成される収容器１００に太陽光が照射された場合、第１遮光剤１１によって、太陽光に含まれる紫外光線の大部分を遮光することができる。また、第２遮光剤１２によって可視短波長領域の光の大部分を遮光することができる。その結果、収容部３０に収容された化粧料Ｃの劣化を抑制することができる。そして、遮光構造Ｓ１を構成する第１遮光剤１１、第２遮光剤１２、及び光透過性材料１３による可視長波長領域の可視光線における遮光率が低いことから、可視長波長領域の可視光線の大部分が隔壁１を透過する。その結果、使用者は収容器１００の外部から収容部３０に収容された化粧料Ｃを視認することができる。即ち、本実施形態に係る収容器１００は、紫外線及び可視短波長領域の光を選択的に遮光することによって、化粧料Ｃの劣化を抑制するとともに化粧料Ｃの被視認性を確保することができる。また、収容器１００は、第１遮光剤１１が有する白色系の隠ぺい力によって色調が抑えられている。その結果、色調によるデザインの制約を低減することができ、収容器１００のデザイン面における自由度を高めることができる。
【００３２】
本実施形態に係る化粧料Ｃは、波長４００ｎｍ未満の紫外線や波長が４００ｎｍ〜５００ｎｍである可視短波長領域の光が照射されることによって、変色や分解といった品質劣化が生じる。このような化粧料Ｃを保管するには、波長が５００ｎｍ以下の可視光線及び紫外線の遮光率を高めれば十分である。一方で、５００ｎｍよりも波長の大きい可視光線
の遮光率が高いと、内容物である化粧料Ｃの液面レベルの被視認性が低下する。そうなると、使用者が化粧料Ｃの残量を把握することができず、化粧料Ｃの詰め替えや買い替えのタイミングを見極めることが困難となる虞がある。
【００３３】
これに対して、本実施形態に係る収容器１００によると、上述のように、紫外線及び可視短波長領域の光の遮光率を高める一方で可視長波長領域の遮光率を低くすることができる。その結果、化粧料Ｃの劣化を抑制することによって化粧料Ｃの品質を保つとともに、収容部３０の内部の被視認性を高めることによって使用者が化粧料Ｃの液面レベルを視認して化粧料Ｃの残量を把握することを容易にすることができる。更に、隔壁１の色調が抑えられていることによって隔壁１に様々なデザインを付与することができるため、収容器１００の見栄えを向上させ、収容器１００の商品パッケージとしてのアピール力を高めることができる。
【００３４】
また、本実施形態に係る遮光構造Ｓ１を有する隔壁１は、上述した一般的な材料や成形方法によって成形することができる。そのため、可視短波長領域以下の波長に対する遮光性を収容器１００へ付与することが容易であり、特殊な材料や加工方法を用いる場合よりも安価に実現することができる。
【００３５】
尚、本実施形態に係る収容器１００は、収容器１００の全体が遮光構造Ｓ１を有していてもよい。収容器１００は、例えば、ブロー成形することによって、収容器１００の全体が隔壁１で構成されるボトル形状に成形されていてもよい。そうすることによって、収容器１００の全体に遮光構造Ｓ１がなされ、収容器１００の遮光性能をより高めることができる。また、収容器１００の全体を一度に製造することができるため、隔壁１とそれ以外の部分を別々に製造する場合よりも、製造の工数を低減することができる。
【００３６】
また、本実施形態に係る収容器１００は、隔壁１の一部が遮光構造Ｓ１を有していてもよい。本体部１０の隔壁１の一部が遮光構造Ｓ１で形成されることによって、外部から化粧料Ｃの液面レベルを視認するための確認窓を形成してもよく、隔壁１における確認窓以外の部分を紫外線及び可視光線を完全に遮光する材料によって形成してもよい。
【００３７】
また、本発明において収容器１００の態様は上述した実施形態に限定されない。収容器１００は、材料や内容物に応じて、ボトル型の他に、可撓性を有するチューブ型やパウチ型など、様々な態様のものを選択することができる。また、本実施形態の収容器１００は、例えば、ファンデーションのリフィルなどを収容するブリスター容器であってもよい。また、隔壁１は、シート状やフィルム状であってもよい。
【００３８】
＜第２実施形態＞
次に、第２実施形態について説明する。図４は、第２実施形態に係る収容器２００の隔壁２の断面を拡大した模式図である。第２実施形態に係る収容器２００は、隔壁２の遮光構造Ｓ２が、材料の異なる複数の層が積層されて形成される点で、第１実施形態に係る収容器１００と異なる。以下、第２実施形態について、第１実施形態との相違点を中心に説明し、第１実施形態と同様の構成については、同一の符号を付すことで詳細な説明は割愛する。
【００３９】
図４に示すように第２実施形態に係る隔壁２の遮光構造Ｓ２は、基材となる光透過性材料１３に第１遮光剤１１が練り込まれた第１遮光層２１と、基材となる光透過性材料１３に第２遮光剤１２が練り込まれた第２遮光層２２との２層とが積層されて形成されている。詳細には、第１遮光層２１には、第１遮光剤１１と第２遮光剤１２のうち、第１遮光剤１１のみが含まれている。一方、第２遮光層２２には、第１遮光剤１１と第２遮光剤１２のうち、第２遮光剤１２のみが含まれている。換言すると、第１遮光層２１には、第１遮
光剤１１が含まれており、第２遮光剤１２が含まれていない。第２遮光層２２には、第２遮光剤１２が含まれており、第１遮光剤１１が含まれていない。即ち、遮光構造Ｓ２は、第１遮光剤１１と第２遮光剤１２が、別々の層に含まれている。遮光構造Ｓ２において、第１遮光層２１が隔壁２の外側に位置し、第２遮光層２２が隔壁２の内側に位置するように積層されている。
【００４０】
このような遮光構造Ｓ２を有する隔壁２は、例えば、原料となる光透過性材料１３のペレットに第１遮光剤１１を混合した成形材料と光透過性材料１３のペレットに第２遮光剤１２の粉体を混合した成形材料とを多層ブロー成形や多層押出連動成形することによって、第１遮光層２１と第２遮光層２２とが積層された状態で成形することができる。また、第１遮光層２１と第２遮光層２２を別々にシート状に成形した後に貼り合わせてもよい。また、光透過性材料１３と第１遮光剤１１を混合した成形材料をブロー成形し、第２遮光層２２のみで収容部３０を形成し、その上からシート状に形成した第１遮光層２１を貼り付けてもよい。
【００４１】
［作用・効果］
以上のような遮光構造Ｓ２によって構成される第２実施形態に係る隔壁２は、紫外光線及び可視短波長領域の光の遮光率が高く、可視長波長領域の可視光線の遮光率が低く構成されている。このような隔壁２によって収容部３０が形成される収容器２００に太陽光が照射された場合、まず、隔壁２の外側に位置する第１遮光層２１に太陽光が到達する。このとき、第１遮光層２１に含まれる第１遮光剤１１によって、太陽光に含まれる紫外光線の大部分を遮光することができる。つぎに、第１遮光層２１を透過した可視短波長領域の光の大部分を、第２遮光層２２に含まれる第２遮光剤１２によって遮光することができる。その結果、第２実施形態に係る収容器２００は、収容部３０に収容された化粧料Ｃの劣化を抑制することができる。そして、可視長波長領域の可視光線に対する第１遮光層２１及び第２遮光層２２の遮光率が低いため、可視長波長領域の可視光線の大部分が隔壁２を透過する。その結果、使用者は収容器２００の外部から収容部３０に収容された化粧料Ｃを視認することができる。更に、第２実施形態に係る収容器２００は、第１遮光層２１が隔壁２の外側に積層されている。そうすることによって、第１遮光層２１に含まれる第１遮光剤１１が有する白色系の隠ぺい力によって、第２遮光層２２に含まれる第２遮光剤１２による色調を、第２遮光層２２の外側から隠ぺいすることができる。そのため、第１実施形態に係る収容器１００よりも、更に色調を抑えることができる。その結果、収容器２００のデザイン面における自由度をより高めることができる。
【００４２】
尚、本実施形態に係る遮光構造Ｓ２における第１遮光層２１と第２遮光層２２が積層される方向は、上述の態様に限定されない。即ち、第１遮光層２１が第２遮光層２２よりも内側に位置してもよい。但し、第１遮光層２１が第２遮光層２２よりも外側に配置されることによって、隔壁２の色調をより抑えることができる。
【００４３】
尚、第２遮光層２２と第１遮光層２１において、それぞれの光透過性材料１３を、光透過性を有する異なる材料によって構成してもよく、その場合、異なる基材からなる第１遮光層２１と第２遮光層２２とを接着剤によって接合して積層する。但し、本実施形態に係る遮光構造Ｓ２は、第１遮光層２１と第２遮光層２２の基材が何れも透明樹脂であり、同一であるため、第１遮光層２１と第２遮光層２２を直接貼り合わせて積層することができる。その結果、第１遮光層２１と第２遮光層２２とを異なる光透過性材料１３で構成し、接着剤を用いて積層する場合と比較して、長波長領域の可視光線の透過率を高めるとともに、コストを低減することができる。
【００４４】
また、遮光構造Ｓ２において積層される遮光層の数は、上記に限定されない。隔壁２は、例えば、第２遮光層２２を第１遮光層２１で両側から挟むように積層した３層構造で構
成してもよい。
【００４５】
＜第３実施形態＞
次に、第３実施形態について説明する。図５は、第３実施形態に係る収容器３００の隔壁３の断面を拡大した模式図である。図５に示すように、第３実施形態に係る収容器３００は、隔壁３の遮光構造Ｓ３が、光透過性材料１３によって形成された基材層３２の外面に、第１遮光剤１１と第２遮光剤１２が含まれる塗膜層３１が形成されている点で、第１実施形態に係る収容器１００と異なる。以下、第３実施形態について、第１実施形態との相違点を中心に説明し、第１実施形態と同様の構成については、同一の符号を付すことで詳細な説明は割愛する。
【００４６】
図５に示す基材層３２は、可視光線の透過率が高い光透過性材料１３によって形成されている。また、光透過性材料１３は、隔壁３の基材としての機能を有する。即ち、基材層３２は、隔壁３の形状を保持する層である。本実施形態に係る光透過性材料１３は、例えばポリエチレン（ＰＥ）樹脂、ポリプロピレン（ＰＰ）樹脂、ポリカーボネート（ＰＣ）樹脂、アクリル樹脂、ポリエステル（ＰＥＴ）樹脂、ポリ塩化ビニル（ＰＶＣ）樹脂、ＡＢＳ樹脂、フッ素樹脂などの、透明性を有する樹脂系材料の他に、石英ガラスなどの透明性を有するガラス材料を選択することができる。
【００４７】
図５に示す塗膜層３１は、基材層３２の外面を覆うように形成されている。塗膜層３１では、第１遮光剤１１と第２遮光剤１２とが混合されて、ランダムに配置されている。また、塗膜層３１は、隔壁３の基材となる光透過性材料１３が含まれていない。
【００４８】
遮光構造Ｓ３は、例えば、第１遮光剤１１の粉体と第２遮光剤１２の粉体を水や油剤などの溶媒中に分散させた混合塗料を、基材層３２の外面にスプレー塗装などの方法によって塗布することによって形成することができる。
【００４９】
［作用・効果］
第３実施形態に係る収容器３００によると、第１実施形態に係る収容器１００と同様に、紫外線及び可視短波長領域の光を選択的に遮光することによって、化粧料Ｃの劣化を抑制するとともに化粧料Ｃの被視認性を確保することができる。また、第１遮光剤１１が有する白色系の隠ぺい力によって色調が抑えることによって、色調によるデザインの制約を低減することができ、収容器３００のデザイン面における自由度を高めることができる。
【００５０】
更に、このような遮光構造Ｓ３によると、基材層３２を成形した後に、成形された基材層３２に対して混合塗料を塗布することによって塗膜層３１を形成する。その結果、ガラスなどの遮光剤を練り込むことが比較的困難な光透過性材料１３によって隔壁３を形成する場合でも、隔壁３に容易に遮光性を付与することができる。また、混合塗料の塗布量を調節することによって、容易に塗膜層３１の厚さの調整が可能となる。その結果、隔壁３の遮光率を容易に調整することができる。
【００５１】
尚、塗膜層３１は、基材層３２の内面に形成してもよい。但し、上述のように塗装によって塗膜層３１を形成する場合は、基材層３２の内面よりも外面の方が、より容易に塗膜層３１を形成することができる。
【００５２】
＜第４実施形態＞
次に、第４実施形態について説明する。図６は、第４実施形態に係る収容器４００の隔壁４の断面を拡大した模式図である。図６に示すように、第４実施形態に係る収容器４００は、隔壁４の遮光構造Ｓ４が、光透過性材料１３によって形成された基材層３２の外面に、第１遮光剤１１が含まれる第１塗膜層４１１と第２遮光剤１２が含まれる第２塗膜層
４１２が積層されている点で、第３実施形態に係る収容器３００と異なり、その他の点は同一である。以下、第４実施形態について、第３実施形態との相違点を中心に説明し、第３実施形態と同様の構成については、同一の符号を付すことで詳細な説明は割愛する。
【００５３】
図６に示す塗膜層４１は、基材層３２の外面を覆うように形成されている。塗膜層４１は、遮光構造Ｓ４において、第１塗膜層４１１が隔壁４において最も外側に位置し、第２塗膜層４１２が第１塗膜層４１１と基材との間に位置するように積層されている。また、第１塗膜層４１１及び第２塗膜層４１２は、隔壁４の基材となる光透過性材料１３が含まれていない。
【００５４】
この遮光構造Ｓ４を形成するには、まず、第２遮光剤１２の粉体を水や油剤などの溶媒中に分散させた塗料を基材層３２の外面に塗布することによって第２塗膜層４１２を形成する。次に、第１遮光剤１１の粉体を水や油剤などの溶媒中に分散させた塗料を第２塗膜層４１２の上に塗布することによって第１塗膜層４１１を形成する。そうすることによって塗膜層４１が形成され、遮光構造Ｓ４となる。
【００５５】
［作用・効果］
第４実施形態に係る収容器４００は、第３実施形態に係る収容器３００と同様の作用効果を奏する。第４実施形態に係る収容器４００は、更に、第１塗膜層４１１が第２塗膜層４１２の外側に積層されている。そうすることによって、第１塗膜層４１１に含まれる第１遮光剤１１が有する白色系の隠ぺい力によって、第２塗膜層４１２に含まれる第２塗装剤による色調を、第２塗膜層４１２の外側から隠ぺいすることができる。そのため、第３実施形態に係る収容器３００よりも、更に色調を抑えることができる。その結果、収容器４００のデザイン面における自由度をより高めることができる。
【００５６】
尚、本実施形態に係る遮光構造Ｓ４における第１塗膜層４１１と第２塗膜層４１２が積層される方向は、上述の態様に限定されない。即ち、第１塗膜層４１１が第２塗膜層４１２よりも内側に位置してもよい。但し、第１塗膜層４１１が第２塗膜層４１２よりも外側に配置されることによって、隔壁４の色調をより抑えることができる。また、遮光構造Ｓ４において積層される遮光層の数は、上記に限定されない。隔壁４は、例えば、第１塗膜層４１１を第２塗膜層４１２で挟んで積層した３層構造で構成してもよい。
【００５７】
［遮光構造検証試験］
以下、本発明に係る遮光構造の効果を検証した試験について説明する。実験では、本発明に係る遮光構造を有するプレートに特定の波長を照射した場合の遮光率を測定した。
【００５８】
（実験例）
実験例として、第１実施形態に係る遮光構造Ｓ１を有するプレート状の試験片の遮光率を測定した。実験例は、酸化チタンをアボベンゾンで被覆した酸化チタン被覆体Ｘと、酸化チタンに黄酸化鉄を複合化した酸化チタン複合体Ｙとを混合して、光透過性材料１３としてのポリエチレン（ＰＥ）樹脂に練り込んでプレート状に成形したものである。実験例において、酸化チタン被覆体Ｘの添加率を１．０％、酸化チタン複合体Ｙの添加率を０．０５％とした。また、試験片の厚みは、１．２ｍｍとした。
【００５９】
（比較例）
比較例として、酸化チタン被覆体Ｘのみをポリエチレン（ＰＥ）樹脂に練り込んだプレート状の試験片の遮光率を測定した。比較例における酸化チタン被覆体Ｘの添加率は、１．０％とした。比較例の試験片の厚みは、ともに１．２ｍｍとした。実験例は、比較例に対して、酸化チタン複合体Ｙを０．０５％添加したものに相当する。
【００６０】
（試験方法）
試験は、実験例、比較例に係る試験片の、厚み方向における透過率を日本分光（株）製の分光光度計によって測定した。そして、測定した透過率から、各試験片の波長領域ごとの遮光率を算出した。波長領域は、４００ｎｍ〜４６０ｎｍ、４６０ｎｍ〜５００ｎｍ、５００ｎｍ〜７００ｎｍとした。
【００６１】
（試験結果）
表１は、遮光構造検証試験の結果を示す。
【００６２】
【表１】
2019031311.tif 000003
【００６３】
表１に示す通り、実験例では、４００ｎｍ〜４６０ｎｍの波長領域における光の遮光率が８７．６％、４６０ｎｍ〜５００ｎｍの波長領域における光の遮光率が７４．５％、という結果を得た。このことから、遮光構造は、４００ｎｍ〜５００ｎｍの可視短波長領域において、中でも特に４００ｎｍ〜４６０ｎｍにおいて、高い遮光性を有することが確認された。一方で、実験例では、５００ｎｍ〜７００ｎｍにおける遮光率が５４．２％という結果を得た。このことから、遮光構造は、５００ｎｍ〜７００ｎｍの可視長波長領域において、高い透過性を有することが確認された。
【００６４】
また、表１に示す通り、比較例では、４００ｎｍ〜４６０ｎｍの波長領域における光の遮光率が６９．１％、４６０ｎｍ〜５００ｎｍの波長領域における光の遮光率が５６．２％、５００ｎｍ〜７００ｎｍの波長領域における光の遮光率が４５．０％という結果を得た。実験例と比較例とを比較すると、実験例は、比較例に対して、４００ｎｍ〜４６０ｎｍの波長領域において１８．５％、４６０ｎｍ〜５００ｎｍの波長領域において１８．３％、遮光率が増加した。このことから、酸化チタン複合体Ｙによる、可視長波長領域における遮光率の増加効果が確認された。一方で、実験例の比較例に対する遮光率の増加は、５００ｎｍ〜７００ｎｍの波長領域においては、９．２％に留まっていた。このことより、酸化チタン複合体Ｙを添加することによる５００ｎｍ〜７００ｎｍの可視長波長領域における遮光率の増加は小さいことが確認された。
【００６５】
尚、上記した種々の内容は、本発明の技術的思想を逸脱しない範囲において可能な限り組み合わせることができる。
【符号の説明】
【００６６】
１、２、３、４・・・隔壁
１１・・・第１遮光剤
１２・・・第２遮光剤
１３・・・光透過性材料
２１・・・第１遮光層
２２・・・第２遮光層
３１、４１・・・塗膜層
３２・・・基材層
１０・・・本体部
２０・・・排出部
３０・・・収容部
Ｓ１、Ｓ２、Ｓ３、Ｓ４・・・遮光構造
Ｘ・・・酸化チタン被覆体
Ｙ・・・酸化チタン複合体
ａ、ｂ・・・添加材料
【図１】
2019031311.tif 000004
【図２】
2019031311.tif 000005
【図３Ａ】
2019031311.tif 000006
【図３Ｂ】
2019031311.tif 000007
【図４】
2019031311.tif 000008
【図５】
2019031311.tif 000009
【図６】
2019031311.tif 000010